(57)【要約】      （修正有）【課題】横断歩道の歩行者を検知するセンサーと、センサーの検知に基づき点灯して横断歩道を照明する照明灯とを容易に設置できる横断歩道用照明装置を提供する。【解決手段】横断歩道を照らす照明灯２と、歩行者を検知するセンサー３と、このセンサー３が歩行者を検知したときに照明灯２を点灯させる制御部１３とを備え、制御部１３を箱状の本体部１１に内装させ、この本体部１１の外側面に照明灯２とセンサー３とを取り付ける。本体部１２を横断歩道の近傍に設置させることで、センサー３を横断歩道を横断する歩行者の有無を検知可能な位置に配置させると共に、照明灯２を横断歩道を照射可能な位置に配置させることができる。【選択図】図１
2014145223.tif 000002
【特許請求の範囲】
【請求項１】
横断歩道を照らす照明灯と、歩行者を検知するセンサーと、該センサーにより歩行者が検知されたときに前記照明灯を点灯させる制御部とを備える横断歩道用照明装置であって、
前記制御部は箱状の本体部に内装され、
該本体部の外側面に前記照明灯と前記センサーとが取り付けられていることを特徴とする横断歩道用照明装置。
【請求項２】
前記照明灯は取付金具を介して前記本体部に取り付けられており、
該取付金具は第一の軸部と第二の軸部とを備え、前記第一の軸部における回転によって前記照明灯が第一の軸部を中心に回転可能となされると共に、前記第二の軸部における回転によって前記照明灯が第二の軸部を中心に回転可能となされていることを特徴とする請求項１に記載の横断歩道用照明装置。
【請求項３】
前記第一の軸部が記第二の軸部に対して直角に配置されていることを特徴とする請求項２に記載の横断歩道用照明装置。
【発明の詳細な説明】
【技術分野】
【０００１】
本発明は、夜間に横断歩道を照明して、歩行者の視界の向上や、走行車両の運転者等へ歩行者の存在を示すための横断歩道用照明装置に関するものである。
【背景技術】
【０００２】
車道を走行する車両と横断歩道を横断する歩行者との接触事故を防ぐために、歩行者の存在の注意喚起を行う交通安全システムについては種々の発明が開示されている。
【０００３】
例えば、特許文献１には、被検知域内の歩行者の有無を検知する検知手段、前記検知手段の検知出力に基づいて指令信号を送信する送信器、太陽電池および該太陽電池によって充電される蓄電池を備えた電源、を具備した検出部と、前記送信器からの指令信号を受信する受信器、前記受信器の出力信号により点灯制御を行う制御回路、注意表示を備え前記制御回路の制御信号に基づいて点滅する表示器、前記制御回路の制御信号に基づいて被照射域を照射する照明器、太陽電池および該太陽電池によって充電される蓄電池を備えた電源、を具備した表示部と、からなることを特徴とする横断者感知式注意表示装置が開示されている。
【先行技術文献】
【特許文献】
【０００４】
【特許文献１】実開平５−８９５１３号公報
【発明の概要】
【発明が解決しようとする課題】
【０００５】
特許文献１に示される横断者感知式注意表示装置は、検知手段が歩行者を検知し、これに基づき送信される指令信号に基づき照明器が被照射領域となされた横断歩道を照明する構成が示されているが、検知手段と照明器が別体となされて個別に設置されるため、その設置作業が煩雑であるという問題点があった。
【０００６】
本発明は、横断歩道の歩行者を検知するセンサーと、センサーの検知に基づき点灯して横断歩道を照明する照明灯とを容易に設置できる横断歩道用照明装置を提供するものである。
【課題を解決するための手段】
【０００７】
上記目的を達成するため、本発明は以下のような構成としている。
すなわち本発明に係る横断歩道用照明装置は、横断歩道を照らす照明灯と、歩行者を検知するセンサーと、該センサーにより歩行者が検知されたときに前記照明灯を点灯させる制御部とを備える横断歩道照明装置であって、前記制御部は箱状の本体部に内装され、該本体部の外側面に前記照明灯と前記センサーとが取り付けられていることを特徴とするものである。
【０００８】
本発明に係る横断歩道用照明装置によれば、横断歩道を照らす照明灯と、歩行者を検知するセンサーとを、前記照明灯を点灯させる制御部を内装させる箱状の本体部の外側面にそれぞれ取り付けるので、前記本体部を横断歩道の近傍に設置させることで、前記センサーを横断歩道を横断する歩行者の有無を検知可能な位置に配置させると共に、前記照明灯を横断歩道を照射可能な位置に配置させることができる。
【０００９】
また、前記照明灯を前記本体部に取付金具を介して取り付け、この取付金具に第一の軸部と第二の軸部とを備えさせて、前記第一の軸部における回転によって前記照明灯を第一の軸部を中心に回転可能にすると共に、前記第二の軸部における回転によって前記照明灯を第二の軸部を中心に回転可能にすれば、前記照明灯の光の放射方向を調整して前記本体部を取り付けた位置から横断歩道を容易に照明することができるので、好ましい。
【００１０】
また、前記第一の軸部を前記第二の軸部に対して直角に配置させれば、前記第一の軸部を中心とする回転と前記第二の軸部を中心とする回転とによって、前記照明等の光の放射方向をより広範囲へ調整できるようになされるので好ましい。
【発明の効果】
【００１１】
本発明に係る横断歩道用照明装置によれば、横断歩道を横断する歩行者を検知するセンサーと、横断歩道を照明する照明灯とを容易に設置させることができる。
【図面の簡単な説明】
【００１２】
【図１】本発明に係る横断歩道用照明装置の実施の一形態を示す正面図である。
【図２】図１の左側面図である。
【図３】図１の右側面図である。
【図４】図１の照明灯と取付金具を本体部から取り外した状態を示す図である。
【図５】図４の照明灯を示す、（イ）は平面図であり、（ロ）は正面図である。
【図６】図５の側面図である。
【図７】図４の取付金具の保持部を示す、（イ）は平面図であり、（ロ）は正面図であり、（ハ）は側面図である。
【図８】図７の取付金具を介して、図１とは異なる角度で図５の照明灯を本体部へ取り付けた状態を示す図である。
【発明を実施するための形態】
【００１３】
本発明の実施の形態を図面に基づき具体的に説明する。
図面において、１は横断歩道用照明装置である。
本実施形態の横断歩道用照明装置１は、箱状の本体部１１と、その下面に取り付けられた照明灯２と、センサー３とを備えており、前記本体部１１を横断歩道付近に設置し、照明灯２から放射する光によって横断歩道を照らすように用いられる。
具体的には、横断歩道の端付近の歩行者の有無を検知するように方向などを調整された前記センサー３によって横断歩道を横断する歩行者を検知したときに、前記照明灯２を点灯又は点滅させて横断歩道を照らし、車道を走行する車両の運転手等へ歩行者の存在の注意喚起を行い、また歩行者の視界を良好にするように設けられている。
【００１４】
本実施形態の横断歩道用照明装置１は、別体に形成された太陽電池（図示せず）の生起する電力によって照明灯２を発光させるように設けられている。
具体的には、昼間において太陽電池の生起する電力を本体部１１に内装する蓄電部１２に蓄え、夜間において前記センサー３が歩行者の存在を検知したときに前記蓄電部１２の電力を供給して前記照明灯２を一定時間点灯させるように設けられている。
前記太陽電池から前記蓄電部１２への蓄電や、センサー３による歩行者の検知に基づく照明灯２の点灯、消灯などの制御は、本体部１に内装する制御部１３により行われる。
【００１５】
前記照明灯２は、内装するＬＥＤの発する光を外側へ放射するように形成されて、図２に示す向きにおいて右側方向へ光を放射するように設けられている。
照明灯２は、取付金具５を介して前記本体部１１の下面に取り付けられている。
【００１６】
図４は図１の照明灯２と取付金具５を本体部１１から取り外した状態を示す図であり、図５は図４の照明灯２を示す、（イ）は平面図であり、（ロ）は正面図であり、図６は図５の側面図である。
本実施形態の照明灯２は正面視の形状が八角形に設けられ、内装するＬＥＤの光を外方へ放射させる四角形の投光部２１が形成されている。
【００１７】
照明灯２に内装されるＬＥＤの前側には凹レンズが備えられており、この凹レンズによりＬＥＤの発する光を制御して、前記投光部２１から放射させるように設けられている。
前記投光部２１は、前記凹レンズにおける光の制御により、図５（ロ）に示す向きにおいて、左右横方向が広放射方向となされて光の放射角度Ｘが最も大きくなるように形成され、前記広放射方向に対して垂直な上下縦方向が狭放射方向となされて光の放射角度Ｙが最も小さくなるように形成されている。
一例として、投光部２１から放射される光において、光軸Ｌに対し狭放射方向に放射角度Ｙが２０度の方向へ放射させる光と、光軸Ｌに対し広放射方向に放射角度Ｘが５０度の方向へ放射させる光とが、同程度の光度となるように設けられている。
【００１８】
前記照明灯２の外側面には、前記取付金具５への取り付けに用いられる取付部２４が形成されており、前記取付部２４は照明灯２の上下左右にそれぞれ１個づつ合計４個形成されている。
本実施形態の各取付部２４は同じ大きさの径の雄ねじを螺結可能な雌ねじ穴にそれぞれ形成されており、図５（ロ）に示す向きにおいて照明灯２の上下に形成された各取付部２４ａは、その雌ねじ穴の向きと位置とが一直線上に配置されるようにそれぞれ設けられている。また、図５（ロ）に示す向きにおいて照明灯２の左右に形成された各取付部２４ｂは、その雌ねじ穴の向きと位置とが一直線上に配置されると共に、前記各取付部２４ａの雌ねじ穴の向きに対して直交する方向へ形成されるようにそれぞれ設けられており、前記各取付部２４ｂ間の間隔は、前記各取付部２４ａ間の間隔と同じ大きさに形成されている。
【００１９】
本実施形態の照明灯２は、ボルトからなる第二の軸部５４を取付金具５から取付部２４に螺結させて、取付金具５へ取り付けられるように設けられている。
本実施形態の取付金具５は、略逆Ｕの字形状に形成された保持部５１とボルトからなる第一の軸部５５、ボルトからなる第二の軸部５４を備え、この保持部５１に挿通させた第二の軸部５４を前記取付部２４へ螺結させて、前記照明灯２を取り付けるように設けている。
【００２０】
図７は図４の取付金具５の保持部５１を示す、（イ）は平面図であり、（ロ）は正面図であり、（ハ）は側面図である。
本実施形態の保持部５１は、金属板を曲げ加工して略逆Ｕ字形状に形成させており、左右横方向へ向けられた基板５１ａと、この基板５１ａの左右両端からそれぞれ延設されて下方へ向かう保持板部５１ｂを備えている。
前記基板５１ａには、丸穴形状の貫通穴５３が１個形成されている。
本実施形態の取付金具５は、図４に示すように、前記貫通穴５３へ下方から挿通させた第一の軸部５５の雄ねじ部分を、本体部１１の下面に上下方向へ形成させた雌ねじ部１５へ螺結させて、取付金具５の保持部５１を本体部１１へ取り付けている。
【００２１】
取付金具５は、基板５１ａに挿通させた第一の軸部５５と本体部１１の雌ねじ部１５との螺結によって、本体部１１へ強固に取り付けられるが、前記第一の軸部５５と雌ねじ部１５との螺結を緩めることで、本体部１１に対する保持部５１の向きを調整して変更することができる。
即ち、前記第一の軸部５５と雌ねじ部１５との螺結が緩んだ状態において、前記保持部５１は上下方向に向かう第一の軸部５５の雄ねじ部分を軸とする回転が可能となされて、保持部５１の水平方向の向きを変更でき、保持部５１を好適な向きに調整した後に、前記第一の軸部５５を雌ねじ部１５へ螺結させて保持部５１の向きを保つことができる。
【００２２】
図７に示すように、保持部５１には、丸穴形状の貫通穴５２が各保持板５１ｂにそれぞれ１個づつ合計２個形成されている。
前記各貫通穴５２は前記照明灯２の左右両側に配置された各取付部２４の形成位置に対応する配置に設けられている。
本実施形態の取付金具５は、保持部５１の各保持板５１ｂの間に前記照明灯２を配置させ、図４に示すように、前記各貫通穴５２へ保持板５１ｂの外側からそれぞれ挿通させた各第二の軸部５４の雄ねじ部分を、前記照明灯２の左右両側に配置させた各取付部２４、即ち各取付部２４ｂへ螺結させて、取付金具５の保持部５１へ前記照明灯２を取り付けている。
【００２３】
取付金具５は、各保持板５１ｂにそれぞれ挿通させた各第二の軸部５４と照明灯２の左右に配置された各取付部２４との螺結によって、前記照明灯２を強固に取り付けるが、前記各第二の軸部５４と各取付部２４との螺結を緩めることで、保持部５１に対する照明灯２の向きを調整して変更することができる。
即ち、前記各第二の軸部５４と各取付部２４との螺結が緩んだ状態において、前記照明灯２は一直線上に配置されて横方向に向かう各第二の軸部５４の雄ねじ部分を軸とする回転が可能となされて、照明灯２の上下方向の向きを変更でき、照明灯２の投光部２１から放射させる光の光軸を好適な傾きに調整した後に、前記各第二の軸部５４を各取付部２４へそれぞれ螺結させて照明灯２の向きを保つことができる。
【００２４】
本実施形態の横断歩道用照明装置１は、前記取付金具５を介して照明灯２を本体部１１に取り付けることで、照明灯２から放射させる光の向きを容易に調整して、横断歩道を照らすことができる。
即ち、本実施形態の横断歩道用照明装置1は、横断歩道近傍に取り付けられた本体部１１の照明灯２の光で横断歩道を上方から照らすように設置されるが、前記第一の軸部５５の雄ねじ部分を軸としてなされる保持部５１の回転によって照明灯２から放射する光の水平方向の向きを調整し、前記各第二の軸部５４を軸としてなされる照明灯２の回転によって前記光の上下方向の傾きを調整して、前記照明灯２からの光を横断歩道へ向けて効率良く照明できるようになされている。
【００２５】
また、前記照明灯２の上下には、前記各取付部２４ｂと同じ大きさの径の雌ねじ穴に形成形成された各取付部２４ａが形成されている。
前記各取付部２４ａは、雌ねじ穴の向きと位置とが一直線上に配置され、前記各取付部２４ｂ間と同じ大きさの間隔で形成されているので、前記取付金具５の各第二の軸部５４の雄ねじ部分を各取付部２４ｂではなく、前記各取付部２４ａへ螺結させて、照明灯２を取付金具５へ取り付けることができる。
【００２６】
図８は図７の取付金具５を介して、図１とは異なる角度で図５の照明灯２を本体部１１へ取り付けた状態を示す図である。
図８に示す横断歩道用照明装置１は、照明部２から各第二の軸部５４から取り外した状態で、図５、６に示す各取付部２４ａが照明灯２の左右横方向に配置されるように照明灯２を９０度回転させ、保持部５１に挿通させた各第二の軸部５４の雄ねじ部分を前記各取付部２４ａへ螺結させて、取付金具５へ照明灯２を取り付けている。
このように照明灯２を異なる角度で取り付けることにより、図１に示す横断歩道用照明装置１においては左右横方向へ向けている照明灯２の光の広放射方向を、図８に示す横断歩道用照明装置１では上下縦方向へ向けるように設けている。即ち、図１に示す実施形態では照明灯２の光の広放射方向が前記第二の軸部５４の軸の向きと平行に配置され、図８に示す実施形態では照明灯２の光の広放射方向が前記第二の軸部５４の軸の向きと直角に配置されている。横断歩道用照明装置１は、本体部１１へ取り付ける照明灯２の向きについて、前記図１の実施形態に示す配置と、前記図８の実施形態に示す配置とを選択して取り付けることができる。
【００２７】
図１及び図８に示すように、本実施形態の横断歩道用照明装置１は、照明灯２の光の広放射方向の向きを変更可能に形成されている。
このため、前記第一の軸部における回転、及び前記第二の軸部における回転により、その光軸の向きを調整して横断歩道へ光を照射するように設けた照明灯２において、更にその光の広放射方向が横断歩道の長手方向に沿うように前記照明灯２の角度を調整できるので、横断歩道をより効率良く照明することができる。
【００２８】
本実施形態のセンサー３は、検知部３１で受光する赤外線によって検知部３１の先の人間の存在の有無を検知するように設けられており、図３に示す向きにおいて前記センサー３の左側方向における人間の存在を検知するように設けられている。
前記センサー３は、図１、３に示すように、取付金具６を介して前記本体部１１の下面に取り付けられている。
【００２９】
本実施形態の取付金具６は、保持部６１と、保持部６１を前記本体部１１へ取り付けるボルト６６と、保持部６６へ前記センサー３を取り付けるボルト６４、ナット６５を備えている。
前記保持部６１の上部には、保持部６１を縦方向に貫通する丸穴形状の貫通穴（図示せず）が形成されており、この貫通穴へ下方から挿通させた前記ボルト６６を本体部１１の下面に上下方向へ形成させた雌ねじ部１６へ螺結させて、取付金具６の保持部６１を本体部１１へ取り付けている。
【００３０】
また、前記保持部６１の下部には、保持部６１を横方向に貫通する円形の取付穴（図示せず）が形成されており、前記センサー３の下部には、横方向に貫通する円形の挿通穴（図示せず）が形成されている。
本実施形態のセンサー３は、前記挿通穴と前記保持部６１の取付穴とに側方から挿通させた前記ボルト６４をナット６５へ螺結させて、センサー３を保持部６１へ取り付けている。
【００３１】
取付金具６は、前記ボルト６６と雌ねじ部１６との螺結を緩めることで、上下方向に向かうボルト６６の雄ねじ部分を軸として保持部６１を回転させ、本体部１１に対する保持部６１の水平方向の向きを調整して変更することができる。
また、前記ボルト６４とナット６５との螺結を緩めることで、横方向に向かうボルト６４の雄ねじ部分を軸としてセンサー３を回転させ、保持部６１に対するセンサー３の上下方向の傾きを調整して変更することができる。
そして、前記ボルト６６の雄ねじ部分を軸とする回転と、前記ボルト６４の雄ねじ部分を軸とする回転とによって、前記センサー３の検知方向の水平方向の向きと、上下方向の傾きとをそれぞれ調整できるので、センサー３を適切な検知場所へ向けて歩行者を検知させることができる。
【００３２】
また、図１において、本体部１１の下面の右側に形成された雌ねじ部１６は、左側に形成された雌ねじ部１５と同じ径の雌ねじに形成されており、前記取付金具５の第一の軸部５５と前記取付金具６のボルト６６は、前記雌ねじ部１５と雌ねじ部１６のいずれにも螺結可能となされている。
このため、前記取付金具５の第一の軸部５５を雌ねじ部１６に螺結させて前記照明灯２を本体部１１の下面右側に配置させ、前記取付金具６のボルト６６を雄ねじ部１５に螺結させて前記センサー３を本体部１１の下面左側に配置させることができる。
前記のように照明灯２とセンサー３の配置を変更して本体部１１へ取り付け可能とすることで、横断歩道用照明装置１の設置場所の状況に応じた好適な配置で前記照明灯２とセンサー３とを取り付けることができる。
【符号の説明】
【００３３】
１    横断歩道用照明装置
１１  本体部
１２  蓄電部
１３  制御部
１５  雌ねじ部
１６  雌ねじ部
２    照明灯
２１  投光部
２４  取付部
３    センサー
３１  検知部
５    取付金具
５１  保持部
５２  貫通穴
５３  貫通穴
５４  ボルト
５５  ボルト
６    取付金具
６１  保持部
６４  ボルト
６５  ナット
６６  ボルト
【図１】
2014145223.tif 000003
【図２】
2014145223.tif 000004
【図３】
2014145223.tif 000005
【図４】
2014145223.tif 000006
【図５】
2014145223.tif 000007
【図６】
2014145223.tif 000008
【図７】
2014145223.tif 000009
【図８】
2014145223.tif 000010